(57)【要約】【課題】立体ギャザーの先端部を直立に近い姿勢とする。【解決手段】吸収性物品１は、本体部２の両側部上において長手方向に延びる一対の側壁部３２を備える。各側壁部は、長手方向に延びる側壁本体３３と、側壁本体の先端部３３３において長手方向に沿って接合される先端部弾性部材３４とを備える。側壁本体は、長手方向における両端部にそれぞれ設けられる２つの端固定部３３１と、当該両端部から長手方向に離間した中間位置に設けられる中間固定部３３２とを備える。各端固定部において、側壁本体が長手方向に垂直な幅方向における一方側に倒された状態で本体部に重ねて固定される。中間固定部において、先端部が幅方向における他方側に倒された状態で本体部に重ねて固定される。これにより、端固定部と中間固定部との間の位置にて、側壁本体の先端部を、本体部に対して直立に近い姿勢とすることができる。【選択図】図１
2018094296.tif 000002
【特許請求の範囲】
【請求項１】
着用者からの排泄物を受ける吸収性物品であって、
バックシートとトップシートとの間に吸収コアが配置された、長手方向に延びるシート状の本体部と、
前記本体部の両側部上において前記長手方向に延びる一対の側壁部と、
を備え、
各側壁部が、
前記長手方向に延びる側壁本体と、
前記側壁本体の先端部において前記長手方向に沿って接合され、前記長手方向に収縮する先端部弾性部材と、
を備え、
前記側壁本体が、
前記長手方向における両端部にそれぞれ設けられる２つの端固定部と、
前記両端部から前記長手方向に離間した中間位置に設けられる中間固定部と、
を備え、
各端固定部において、少なくとも前記先端部が前記長手方向に垂直な幅方向における一方側に倒された状態で前記本体部に重ねて固定され、
前記中間固定部において、前記先端部が前記幅方向における他方側に倒された状態で前記本体部、もしくは、前記側壁本体における前記先端部よりも根元側の部位に重ねて固定される、または、前記側壁本体の根元部が前記他方側に倒された状態で前記本体部に重ねて固定されることを特徴とする吸収性物品。
【請求項２】
請求項１に記載の吸収性物品であって、
前記長手方向に関して、前記中間位置が、前記両端部間の中央から離間した位置であることを特徴とする吸収性物品。
【請求項３】
着用者からの排泄物を受ける吸収性物品であって、
バックシートとトップシートとの間に吸収コアが配置された、長手方向に延びるシート状の本体部と、
前記本体部の両側部上において前記長手方向に延びる一対の側壁部と、
を備え、
各側壁部が、
前記長手方向に延びる側壁本体と、
前記側壁本体の先端部において前記長手方向に沿って接合され、前記長手方向に収縮する先端部弾性部材と、
を備え、
前記側壁本体が、
前記長手方向における両端部にそれぞれ設けられる２つの端固定部と、
前記両端部から前記長手方向に離間した中間位置に設けられる中間固定部と、
を備え、
各端固定部において、少なくとも前記先端部が前記長手方向に垂直な幅方向における一方側に倒された状態で前記本体部に重ねて固定され、
前記中間固定部において、前記先端部が前記幅方向における他方側に倒された状態で前記本体部、もしくは、前記側壁本体における前記先端部よりも根元側の部位に重ねて固定可能である、または、前記側壁本体の根元部が前記他方側に倒された状態で前記本体部に重ねて固定可能であることを特徴とする吸収性物品。
【請求項４】
請求項３に記載の吸収性物品であって、
前記側壁本体が、前記両端部から前記長手方向に離間した他の中間位置に設けられるとともに、前記中間固定部と同様の構造である他の中間固定部をさらに備えることを特徴とする吸収性物品。
【請求項５】
請求項１ないし４のいずれかに記載の吸収性物品であって、
前記中間固定部において、前記先端部または前記根元部が前記幅方向における外側に倒されることを特徴とする吸収性物品。
【請求項６】
請求項５に記載の吸収性物品であって、
前記吸収コアにおいて、前記幅方向における中央部の両側で前記長手方向に延びるとともに、少なくとも前記中央部よりも剛性が低い低剛性領域が設けられることを特徴とする吸収性物品。
【請求項７】
請求項１ないし６のいずれかに記載の吸収性物品であって、
前記各側壁部が、前記側壁本体の前記先端部と根元との間において前記長手方向に沿って接合され、前記長手方向に収縮する補助弾性部材をさらに備えることを特徴とする吸収性物品。
【発明の詳細な説明】
【技術分野】
【０００１】
本発明は、吸収性物品に関する。
【背景技術】
【０００２】
吸収性物品では、従来、着用者の脚の付け根近傍に接触する立体ギャザーが設けられる。立体ギャザーは、本体部の両側部上に配置される一対のサイドシートにより形成される。例えば、特許文献１では、前身頃側端部においては、立体ギャザーを内方側に折り畳んで、起立端縁より内方側に形成される固着部で固着し、後身頃側端部においては、立体ギャザーを外方側に折り畳んで、起立端縁より外方側に形成される固着部で固着する手法が開示されている。当該手法により、おむつが装着される際に、立体ギャザーの前後方向の中央が垂直方向に起立しやすくなり、横漏れが防止される。
【０００３】
なお、特許文献２では、Ｚ折りギャザーである立体ギャザーの折れ曲がり部位の近傍に引張部材の一方の端部を固定し、引張部材を側縁外方に向けて引張った状態で引張部材の他方の端部を止着部によりおむつの内面に止着することによって、立体ギャザーを良好に左右に広げる手法が開示されている。
【先行技術文献】
【特許文献】
【０００４】
【特許文献１】特開２００９−５６１４１号公報
【特許文献２】特開２０１０−１４８６８０号公報
【発明の概要】
【発明が解決しようとする課題】
【０００５】
ところで、特許文献１の立体ギャザーでは、長手方向における中央において、先端部が本体部に対して直立に近い姿勢となるが、着用者の鼠径部に対応する、中央よりも前方の位置では、当該先端部を直立に近い姿勢とすることはできない。したがって、漏れが生じやすい着用者の鼠径部に、立体ギャザーをしっかりと接触させることができない。着用者の姿勢によっては、中央よりも後方の位置で、当該先端部を直立に近い姿勢とすることが求められる場合もある。
【０００６】
本発明は上記課題に鑑みなされたものであり、長手方向における中央からずれた所定の位置にて立体ギャザーの先端部を直立に近い姿勢とすることを目的としている。
【課題を解決するための手段】
【０００７】
請求項１に記載の発明は、着用者からの排泄物を受ける吸収性物品であって、バックシートとトップシートとの間に吸収コアが配置された、長手方向に延びるシート状の本体部と、前記本体部の両側部上において前記長手方向に延びる一対の側壁部とを備え、各側壁部が、前記長手方向に延びる側壁本体と、前記側壁本体の先端部において前記長手方向に沿って接合され、前記長手方向に収縮する先端部弾性部材とを備え、前記側壁本体が、前記長手方向における両端部にそれぞれ設けられる２つの端固定部と、前記両端部から前記長手方向に離間した中間位置に設けられる中間固定部とを備え、各端固定部において、少なくとも前記先端部が前記長手方向に垂直な幅方向における一方側に倒された状態で前記本体部に重ねて固定され、前記中間固定部において、前記先端部が前記幅方向における他方側に倒された状態で前記本体部、もしくは、前記側壁本体における前記先端部よりも根元側の部位に重ねて固定される、または、前記側壁本体の根元部が前記他方側に倒された状態で前記本体部に重ねて固定される。
【０００８】
請求項２に記載の発明は、請求項１に記載の吸収性物品であって、前記長手方向に関して、前記中間位置が、前記両端部間の中央から離間した位置である。
【０００９】
請求項３に記載の発明は、着用者からの排泄物を受ける吸収性物品であって、バックシートとトップシートとの間に吸収コアが配置された、長手方向に延びるシート状の本体部と、前記本体部の両側部上において前記長手方向に延びる一対の側壁部とを備え、各側壁部が、前記長手方向に延びる側壁本体と、前記側壁本体の先端部において前記長手方向に沿って接合され、前記長手方向に収縮する先端部弾性部材とを備え、前記側壁本体が、前記長手方向における両端部にそれぞれ設けられる２つの端固定部と、前記両端部から前記長手方向に離間した中間位置に設けられる中間固定部とを備え、各端固定部において、少なくとも前記先端部が前記長手方向に垂直な幅方向における一方側に倒された状態で前記本体部に重ねて固定され、前記中間固定部において、前記先端部が前記幅方向における他方側に倒された状態で前記本体部、もしくは、前記側壁本体における前記先端部よりも根元側の部位に重ねて固定可能である、または、前記側壁本体の根元部が前記他方側に倒された状態で前記本体部に重ねて固定可能である。
【００１０】
請求項４に記載の発明は、請求項３に記載の吸収性物品であって、前記側壁本体が、前記両端部から前記長手方向に離間した他の中間位置に設けられるとともに、前記中間固定部と同様の構造である他の中間固定部をさらに備える。
【００１１】
請求項５に記載の発明は、請求項１ないし４のいずれかに記載の吸収性物品であって、前記中間固定部において、前記先端部または前記根元部が前記幅方向における外側に倒される。
【００１２】
請求項６に記載の発明は、請求項５に記載の吸収性物品であって、前記吸収コアにおいて、前記幅方向における中央部の両側で前記長手方向に延びるとともに、少なくとも前記中央部よりも剛性が低い低剛性領域が設けられる。
【００１３】
請求項７に記載の発明は、請求項１ないし６のいずれかに記載の吸収性物品であって、前記各側壁部が、前記側壁本体の前記先端部と根元との間において前記長手方向に沿って接合され、前記長手方向に収縮する補助弾性部材をさらに備える。
【発明の効果】
【００１４】
本発明によれば、長手方向における各端固定部と中間固定部との間の位置にて、側壁本体の先端部を、本体部に対して直立に近い姿勢とすることができる。
【図面の簡単な説明】
【００１５】
【図１】第１の実施の形態に係る吸収性物品を示す平面図である。
【図２】吸収性物品を示す断面図である。
【図３】吸収性物品を示す断面図である。
【図４】吸収性物品を示す断面図である。
【図５】吸収性物品の他の例を示す平面図である。
【図６】吸収性物品を示す断面図である。
【図７】第２の実施の形態に係る吸収性物品を示す平面図である。
【図８】吸収性物品を示す平面図である。
【図９】中間固定部の他の例を示す断面図である。
【図１０】中間固定部の他の例を示す断面図である。
【図１１】端固定部の他の例を示す断面図である。
【発明を実施するための形態】
【００１６】
図１は、本発明の第１の実施の形態に係る吸収性物品１を広げた状態で示す平面図である。吸収性物品１は、着用者が着用する使い捨ておむつ等の外装物品の内側（すなわち、着用者側）に取り付けられて着用者からの尿等の排泄物を受ける補助吸収パッドである。図１では、着用時に着用者に接する側の面を手前にして吸収性物品１を描いている。
【００１７】
吸収性物品１は、本体部２と、一対のサイドシート３とを備える。本体部２は、図１の上下方向である長手方向に延びるシート状である。一対のサイドシート３は、本体部２の両側部、すなわち、長手方向に垂直な幅方向（図１の左右方向）の両端部上に配置され、長手方向に延びる。サイドシート３は、本体部２のおよそ全長に亘る。吸収性物品１の図１中における上側の部位は、着用者の腹側の肌に接する前方部１１であり、下側の部位は、背側の肌に接する後方部１２である。また、前方部１１と後方部１２との間の部位は、着用者の股間部に対向する股下部１３である。
【００１８】
図２ないし図４は、吸収性物品１を図１中に示すII−IIの位置、III−IIIの位置、および、IV−IVの位置で長手方向に垂直な面で切断した断面図である。図２ないし図４では、図示の都合上、吸収性物品１の各構成を厚さ方向（図２ないし図４の上下方向）に離して描いている。図１ないし図４に示すように、本体部２は、透液性のトップシート２１と、撥水性または不透液性のバックシート２３と、トップシート２１とバックシート２３との間に配置されたシート状の吸収コア２２とを備える。図１では、図の理解を容易にするために、吸収コア２２の輪郭を太い破線にて描いている。
【００１９】
図１に示すように、平面視における吸収コア２２および本体部２の外形は共に長手方向に長い略長方形である。本体部２の外形は吸収コア２２より一回り大きく、吸収コア２２の全体が本体部２の外周縁よりも内側に位置する。トップシート２１およびバックシート２３の長手方向の長さおよび幅方向の幅は、吸収コア２２の長さおよび幅よりも大きい。図２に示すように、トップシート２１は、吸収コア２２の着用者側の主面を覆う。バックシート２３は、吸収コア２２のもう一方の主面、すなわち、着用者とは反対側の主面を覆う。トップシート２１は、吸収コア２２の周りにおいてホットメルト接着剤等によりバックシート２３に接合される。
【００２０】
トップシート２１は、着用者からの排泄物の水分を速やかに捕捉して吸収コア２２へと移動させる。吸収コア２２は、トップシート２１を透過した水分を吸収して迅速に固定する。バックシート２３は、バックシート２３に到達した排泄物の水分等が、本体部２の外側にしみ出すことを防止する。
【００２１】
上述のホットメルト接着剤としては、ポリオレフィン系、ゴム系、酢酸ビニル系等のものが利用される。トップシート２１とバックシート２３との接合は、熱融着接合や超音波接合等により行われてもよい。ホットメルト接着剤を用いて接合を行う他の部分において同様である。
【００２２】
トップシート２１としては、例えば、表面を界面活性剤により親水処理した疎水性繊維（ポリプロピレン、ポリエチレン、ポリエステル、ポリアミド、ナイロン等）にて形成された透液性の不織布が利用される。当該不織布は、例えば、ポイントボンド不織布やエアスルー不織布、スパンボンド不織布である。なお、トップシート２１として、セルロースやレーヨン、コットン等の親水性繊維により形成された不織布（例えば、スパンレース不織布）が利用されてもよい。
【００２３】
吸収コア２２は、例えば、粉砕したパルプ繊維やセルロース繊維等の親水性繊維に、粒状の高吸収性ポリマー（ＳＡＰ（Super Absorbent Polymer））や高吸収性ファイバー等の高吸収性材料を混合したものをティッシュペーパーや透液性不織布等により包み込んで形成される。当該ティッシュペーパーや透液性不織布等は、親水性繊維および高吸収性材料とホットメルト接着剤により接合され、親水性繊維の型崩れ、および、高吸収性材料の脱落（特に、吸水後における脱落）が防止される。本実施の形態では、吸収コア２２はパルプ繊維およびＳＡＰを含む。
【００２４】
バックシート２３としては、疎水性繊維にて形成された撥水性または不透液性の不織布（例えば、スパンボンド不織布やメルトブロー不織布、ＳＭＳ（スパンボンド・メルトブロー・スパンボンド）不織布）や、撥水性または不透液性のプラスチックフィルム、あるいは、いずれかの不織布とプラスチックフィルムとが積層された積層シート等が利用される。吸収性物品１のムレを防止して着用者の快適性を向上するという観点からは、バックシート２３にて利用されるプラスチックフィルムは、透湿性（通気性）を有するものが好ましい。
【００２５】
各サイドシート３において幅方向における外側の部位３１（他方のサイドシート３とは反対側の部位）は、本体部２に固定される基部である。基部３１は、長手方向の全長に亘ってトップシート２１の側縁部にホットメルト接着剤等により接合される。基部３１は、バックシート２３の一部にも接合されてよい（後述の端固定部３３１において同様）。図１では、サイドシート３と本体部２とが接合される領域に平行斜線を付している（後述の図５、図７および図８において同様）。
【００２６】
サイドシート３において幅方向における内側の部位３２は、後述の端固定部３３１および中間固定部３３２を除いて、本体部２と非接合である。後述するように、サイドシート３の内側の部位３２では、大部分が本体部２から起立した状態となるため、以下、当該部位３２を、「側壁部３２」という。長手方向に伸張した状態の吸収性物品１において、側壁部３２は、基部３１よりも内側にて基部３１から連続する部位である。一対のサイドシート３の側壁部３２は、本体部２の両側部上において長手方向に延びる。
【００２７】
各側壁部３２は、側壁本体３３と、先端部弾性部材３４とを備える。側壁本体３３は、長手方向に延びる部位である。長手方向における側壁本体３３の両端部は、本体部２にホットメルト接着剤等により接合される。換言すると、長手方向における側壁本体３３の両端部には、２つの固定部３３１がそれぞれ設けられる。また、側壁本体３３において、両端部から長手方向に離間した位置にも１つの固定部３３２が設けられる。以下の説明では、当該２つの固定部３３１を「端固定部３３１」と呼び、当該１つの固定部３３２を「中間固定部３３２」と呼ぶ。また、中間固定部３３２が設けられる位置を「中間位置」と呼ぶ。
【００２８】
２つの端固定部３３１は、前方部１１および後方部１２にそれぞれ配置され、中間固定部３３２は、股下部１３に配置される。長手方向における中間固定部３３２の位置、すなわち、中間位置は、２つの端固定部３３１の間の中央から離間した位置（中央から外れた位置）であり、図１の例では、当該中央から、前方部１１側にずれた位置である。長手方向における中間位置と前方部１１側の端部との間の距離は、中間位置と後方部１２側の端部との間の距離よりも小さい。吸収性物品１の設計によっては、中間位置は、当該中央から、後方部１２側にずれた位置であってもよい。端固定部３３１および中間固定部３３２の詳細については後述する。
【００２９】
先端部弾性部材３４は、側壁本体３３における基部３１とは反対側の端部３３３（以下、「先端部３３３」という。）に設けられる。先端部弾性部材３４は、先端部３３３において、一方の端固定部３３１から他方の端固定部３３１まで長手方向に沿って（すなわち、長手方向に連続して）配置される。先端部弾性部材３４は、ホットメルト接着剤等により先端部３３３に伸張状態にて接合される。
【００３０】
図２ないし図４に示すサイドシート３では、側壁本体３３を構成するシートの側縁部を折り返した折り返し部と、当該折り返し部に対向する対向部との間に先端部弾性部材３４が配置されており、両者の一方または双方に、先端部弾性部材３４が接合される。図２ないし図４の例における先端部３３３は、折り返し部および対向部を含む。先端部弾性部材３４が収縮することにより、長手方向における各端固定部３３１と中間固定部３３２との間において、側壁本体３３が、本体部２から着用者に向かって起立し（すなわち、トップシート２１から離間し）、立体ギャザーが形成される。側壁本体３３において、端固定部３３１および中間固定部３３２を除く部分では、基部３１側の端が固定端となり、先端部３３３側の端が自由端となる。側壁本体３３が起立した部分では、先端部３３３は上端部となる。
【００３１】
図３に示すように、各端固定部３３１では、側壁本体３３の全体が幅方向における内側に倒された状態でトップシート２１に重ねられ、ホットメルト接着剤等によりトップシート２１に直接接合される。ここで、長手方向に垂直な吸収性物品１の断面において、先端部３３３における、固定端寄りの部位から自由端に向かう方向を「先端部３３３の向き」と表現すると、各サイドシート３の端固定部３３１では、先端部３３３の向きが幅方向の内側（他方のサイドシート３側）となる。
【００３２】
図４に示すように、中間固定部３３２では、先端部３３３が、幅方向における外側に倒された状態で基部３１に重ねられ、ホットメルト接着剤等により基部３１に直接接合される。既述のように、基部３１はトップシート２１に重ねて固定されている。したがって、中間固定部３３２では、先端部３３３が、基部３１を挟んでトップシート２１に重ねて固定される。各サイドシート３の中間固定部３３２では、先端部３３３の向きが幅方向の外側（他方のサイドシート３とは反対側）となる。
【００３３】
サイドシート３の本体の材料としては、疎水性繊維にて形成された撥水性または不透液性の不織布（例えば、スパンボンド不織布やメルトブロー不織布、ＳＭＳ不織布等）が例示される。サイドシート３の本体は、独立した複数のシートを積層したものであってもよい。先端部弾性部材３４では、例えば、ポリウレタン糸、帯状のポリウレタンフィルム、糸状または帯状の天然ゴム等が弾性要素として利用される。図２ないし図４の吸収性物品１では、先端部弾性部材３４が１本の弾性要素（ここでは、ポリウレタン糸）を含む。先端部弾性部材３４は、複数本の弾性要素を含んでもよい。
【００３４】
次に、吸収性物品１を内部に取り付けた外装物品を着用者が装着した状態（以下、単に「吸収性物品１を装着した状態」という。）について述べる。吸収性物品１を装着した状態では、股下部１３が前方部１１および後方部１２よりも下方（着用者のつま先側）に位置する。吸収性物品１を装着した状態では、一対のサイドシート３において先端部弾性部材３４が収縮することにより、立体ギャザーが形成される。既述のように、各サイドシート３の各端固定部３３１では、先端部３３３の向きが幅方向の内側となり、中間固定部３３２では、先端部３３３の向きが幅方向の外側となる。したがって、先端部３３３の向きが、各端固定部３３１と中間固定部３３２との間で反転するように、先端部３３３がねじれている。
【００３５】
詳細には、長手方向において各端固定部３３１から中間固定部３３２に向かうに従って、先端部３３３の向きが幅方向の内側から上側（図２ないし図４の上方）へと漸次変化し、さらに幅方向の外側へと漸次変化する。言い換えると、長手方向において端固定部３３１から離れるに従って、先端部３３３が内側に倒れた状態から徐々に起立し、端固定部３３１と中間固定部３３２との間の中央近傍で、先端部３３３が本体部２に対して直立に近い姿勢となる。そして、当該中央近傍から中間固定部３３２に近づくに従って、先端部３３３が徐々に外側に倒れ、中間固定部３３２で基部３１に重なる。
【００３６】
吸収性物品１では、側壁本体３３において、前方部１１の端固定部３３１と中間固定部３３２との間の中央近傍の部位が着用者の鼠径部に対向し、直立した先端部３３３（すなわち、立体ギャザーの先端部）が当該鼠径部にしっかりと接触する。その結果、吸収性物品１により受けられた排泄物が、着用者の鼠径部と吸収性物品１との間の隙間から、その外部領域に漏れ出す横漏れが側壁部３２により抑制される。また、着用者が吸収性物品１を装着した状態において、端固定部３３１と中間固定部３３２との間における先端部３３３の一部分が押し潰されている場合でも、着用者の姿勢の変更によって当該部分が押し潰されなくなると、ねじれた状態の先端部３３３では、当該部分が直ぐに起立する。
【００３７】
以上に説明したように、吸収性物品１では、側壁部３２の側壁本体３３が、長手方向における両端部にそれぞれ設けられる２つの端固定部３３１と、当該両端部から長手方向に離間した中間位置に設けられる中間固定部３３２とを備える。各端固定部３３１では、先端部３３３が幅方向における内側に倒された状態で本体部２に重ねて固定される。中間固定部３３２では、先端部３３３が、幅方向における外側に倒された状態で本体部２に重ねて固定される。これにより、長手方向における端固定部３３１と中間固定部３３２との間の位置（図１では、長手方向における中央からずれた、着用者の鼠径部に対向する位置）にて、側壁本体３３の先端部３３３を、本体部２に対して直立に近い姿勢とすることができる。その結果、当該位置にて立体ギャザーを着用者にしっかりと接触させることができ、吸収性物品１における横漏れを抑制することができる。また、吸収性物品１では、使用前に、側壁部３２の先端部３３３近傍を持ち上げる（立体ギャザーを起立させる）煩雑な作業を行うことなく、立体ギャザーをより確実に起立させることができる。
【００３８】
また、中間固定部３３２が配置される中間位置が、長手方向に関して側壁本体３３の両端部間の中央から離間した位置である。これにより、着用者の肌と吸収性物品１との間の距離が大きくなりやすい長手方向の中央においても、ある程度の高さ（本体部２からの高さ）の側壁部３２を形成することができ、吸収性物品１における横漏れをさらに抑制することができる。なお、吸収性物品１が用いられる着用者の姿勢によっては、中間位置が、両端部間の中央であってもよい。
【００３９】
中間固定部３３２では、側壁部３２の高さが低くなるため、長手方向における中間固定部３３２の長さは、可能な範囲で短いことが好ましい。中間固定部３３２の当該長さは、例えば５０ｍｍ以下であり、好ましくは３０ｍｍ以下であり、より好ましくは１５ｍｍ以下である。中間位置において、側壁本体３３が本体部２に固定された状態（側壁本体３３が幅方向の外側に倒れた状態）をより確実に維持するという観点では、中間固定部３３２の当該長さは、２ｍｍ以上であることが好ましい。
【００４０】
図５は、吸収性物品１の他の例を示す平面図であり、図１に対応する図である。図６は、吸収性物品１を図５中に示すVI−VIの位置で長手方向に垂直な面で切断した断面図であり、図４と同様に、中間固定部３３２における断面を示す。他の例に係る吸収性物品１では、上述の吸収性物品１と比較して、吸収コア２２ａの構造が相違するとともに、サイドシート３および本体部２において弾性部材２４，３５がそれぞれ追加される（図４および図６参照）。他の構成は、図１と同様であり、同じ構成に同じ符号を付す。
【００４１】
図６に示す吸収コア２２ａでは、長手方向に延びる２つのスリット２２０が形成される。各スリット２２０は、幅方向において吸収コア２２ａの側縁から所定距離だけ内側に位置する。スリット２２０は、親水性繊維および高吸収性材料が配置されない線状領域であり、吸収コア２２ａの他の部位よりも剛性が低い低剛性領域である。吸収コア２２ａでは、幅方向において２つのスリット２２０の間の部位が中央吸収コア２２１であり、２つのスリット２２０の外側にそれぞれ位置する２つの部位が一対の側部吸収コア２２２である。本実施の形態では、中央吸収コア２２１および一対の側部吸収コア２２２は、いずれも長手方向に長い略長方形である。
【００４２】
各側部吸収コア２２２の外側縁部とバックシート２３との間には、側部弾性部材２４が設けられる。側部弾性部材２４は、吸収コア２２ａの全長に亘って長手方向に沿って配置される。側部弾性部材２４は、側部吸収コア２２２の外側縁部およびバックシート２３の一方または双方にホットメルト接着剤等により伸張状態にて接合される。
【００４３】
各側壁部３２は、先端部弾性部材３４に加えて、補助弾性部材３５をさらに備える。補助弾性部材３５は、側壁本体３３における先端部弾性部材３４と基部３１との間において、一方の端固定部３３１から他方の端固定部３３１まで長手方向に沿って配置される（図５参照）。補助弾性部材３５は、ホットメルト接着剤等により側壁本体３３に伸張状態にて接合される。先端部弾性部材３４と同様の材料が、補助弾性部材３５として利用可能である。図５の例では、補助弾性部材３５が長手方向に延びる直線状に配置される。補助弾性部材３５は、例えば、波状に配置されてもよい。
【００４４】
吸収性物品１を装着した状態では、一対のサイドシート３において先端部弾性部材３４および補助弾性部材３５が長手方向に収縮することにより、立体ギャザーが形成される。側壁部３２では、長手方向において端固定部３３１から離れるに従って、先端部３３３が内側に倒れた状態から徐々に起立し、端固定部３３１と中間固定部３３２との間の中央近傍で、先端部３３３が直立に近い姿勢となる。当該中央近傍から中間固定部３３２に近づくに従って、先端部３３３が徐々に外側に倒れ、中間固定部３３２で基部３１に重なる。
【００４５】
また、図６に示す側部弾性部材２４が長手方向に収縮することにより、側部吸収コア２２２において、スリット２２０側の内側縁部を支点として、外側縁部が持ち上げられる。これにより、中央吸収コア２２１を底部とし、一対の側部吸収コア２２２を側壁として、吸収コア２２ａが着用者側に向かって凹状となる。
【００４６】
以上のように、図５および図６に示す吸収性物品１では、側壁本体３３の先端部３３３と根元（固定端）との間において、補助弾性部材３５が長手方向に沿って設けられる。そして、補助弾性部材３５が長手方向に収縮することにより、各端固定部３３１と中間固定部３３２との間において、側壁本体３３における補助弾性部材３５よりも根元側の部位を、より確実に起立させることができる。これにより、先端部弾性部材３４による先端部３３３の起立と相俟って、側壁本体３３の先端部３３３の高さをさらに高くすることができる。なお、補助弾性部材３５は、長手方向における中間固定部３３２の前後のみに設けられてもよい。
【００４７】
また、吸収コア２２ａでは、中央吸収コア２２１の両側で長手方向に延びるとともに、中央吸収コア２２１よりも剛性が低い低剛性領域（スリット２２０）が設けられる。これにより、一対の側部吸収コア２２２を中央吸収コア２２１に対して起立させる、すなわち、吸収コア２２ａの両側部を中央部に対して起立させることができる。その結果、吸収性物品１における横漏れをさらに抑制することができる。また、中央吸収コア２２１に対する先端部３３３の高さをさらに高くすることができる。吸収コア２２ａの両側部を中央部に対して起立させる本手法は、先端部弾性部材３４の収縮力のみによっても実現可能である。
【００４８】
吸収コア２２ａでは、必ずしも明確なスリット２２０が設けられる必要はない。例えば、吸収コア２２ａの両側部における親水性繊維および高吸収性材料の密度（単位面積当たりの量）が、幅方向における中央部の密度よりも低くされるのみであってもよい。この場合も、吸収コア２２ａにおいて、中央部の両側で長手方向に延びるとともに中央部よりも剛性が低い低剛性領域が実質的に設けられる。これにより、吸収コア２２ａの両側部を中央部に対して起立させることができる。以上のように、吸収コア２２ａでは、幅方向における中央部の両側で長手方向に延びるとともに、少なくとも当該中央部よりも剛性が低い低剛性領域が設けられていればよい。なお、中央部とは異なる材料を用いることにより、中央部よりも剛性が低い低剛性領域が実現されてもよい。
【００４９】
図７は、本発明の第２の実施の形態に係る吸収性物品１ａを示す平面図であり、図１に対応する図である。図７の吸収性物品１ａでは、中間固定部３３２ａの構成が図１の吸収性物品１と相違する。他の構成は、図１と同様であり、同じ構成に同じ符号を付す。
【００５０】
吸収性物品１ａは、複数の中間固定部３３２ａを備える。各中間固定部３３２ａは、粘着テープ（両面粘着テープ）の一部であるテープ片３３２１を有する。複数の中間固定部３３２ａのテープ片３３２１は、股下部１３において、各サイドシート３の基部３１の着用者側の面上に長手方向に配列されて接着される。各テープ片３３２１は、好ましくは円形であり、表面に剥離ライナーが付着している。当該剥離ライナーを剥がすことにより、他の部材を当該テープ片３３２１に接着する（固定する）ことが可能である。一方のサイドシート３における複数のテープ片３３２１は、他方のサイドシート３における複数のテープ片３３２１と長手方向の同じ位置にそれぞれ配置される。図７の吸収性物品１ａでは、長手方向における各テープ片３３２１の位置を「中間位置」と呼ぶ。
【００５１】
着用者が吸収性物品１ａを着用する際には、着用者または介護者により、複数の中間位置のうち一の中間位置（以下、「対象中間位置」という。）が選択され、対象中間位置におけるテープ片３３２１の剥離ライナーが剥がされる。続いて、側壁本体３３の先端部３３３において、対象中間位置における部位が、幅方向の外側に倒されて当該テープ片３３２１に重ねられ、当該テープ片３３２１に向けて押さえ付けられる。これにより、図８に示すように、対象中間位置おける中間固定部３３２ａ（以下、「対象中間固定部３３２ａ」という。）により、先端部３３３が、テープ片３３２１および基部３１を間に挟んだ状態で本体部２に重ねて固定される。すなわち、対象中間位置における側壁本体３３が、図４の中間固定部３３２と同じ状態となる。なお、中間固定部３３２ａでは、テープ片３３２１に代えて、不織布への止着が可能な面ファスナー用のフック部材等が用いられてもよい。
【００５２】
側壁部３２では、長手方向において各端固定部３３１から離れるに従って、先端部３３３が内側に倒れた状態から徐々に起立し、端固定部３３１と対象中間固定部３３２ａとの間の中央近傍で、先端部３３３が直立に近い姿勢となる。当該中央近傍から対象中間固定部３３２ａに近づくに従って、先端部３３３が徐々に外側に倒れ、対象中間固定部３３２ａで基部３１に重なる。実際には、側壁本体３３において、端固定部３３１と対象中間固定部３３２ａとの間の中央近傍の部位が着用者の脚の付け根の所望位置に対向するように、対象中間位置が選択される。
【００５３】
以上に説明したように、吸収性物品１ａでは、側壁部３２の側壁本体３３が、長手方向における両端部にそれぞれ設けられる２つの端固定部３３１と、当該両端部から長手方向に離間した対象中間位置に設けられる中間固定部３３２ａ（対象中間固定部３３２ａ）とを備える。各端固定部３３１では、先端部３３３が幅方向における内側に倒された状態で本体部２に重ねて固定される。中間固定部３３２ａでは、先端部３３３が、幅方向における外側に倒された状態で本体部２に重ねて固定可能である。これにより、長手方向における端固定部３３１と中間固定部３３２ａとの間の位置にて、側壁本体３３の先端部３３３を、本体部２に対して直立に近い姿勢とすることができる。その結果、当該位置にて立体ギャザーを着用者にしっかりと接触させることができる。
【００５４】
また、側壁本体３３が、互いに同様の構造である複数の中間固定部３３２ａ（対象中間固定部３３２ａおよび他の中間固定部３３２ａ）を備える。複数の中間固定部３３２ａは、上記両端部から長手方向に離間した複数の中間位置（対象中間位置および他の中間位置）にそれぞれ設けられる。これにより、複数の中間位置から対象中間位置を選択する、すなわち、複数の中間固定部３３２ａから実際に使用する対象中間固定部３３２ａを選択することができ、所望の位置にて、先端部３３３を直立に近い姿勢とすることができる。吸収性物品１ａにおいても、図６の吸収コア２２ａの構造が採用されてもよく、側部弾性部材２４および補助弾性部材３５が追加されてもよい。
【００５５】
上記吸収性物品１，１ａでは様々な変形が可能である。
【００５６】
図９に示すように、中間固定部３３２において、先端部３３３が、幅方向における外側に倒された状態で、側壁本体３３における先端部３３３よりも根元側の部位（すなわち、基部３１側の部位）に重ねられてもよい。先端部３３３は、ホットメルト接着剤等により上記根元側の部位に直接接合されて固定される。図９では、先端部３３３の向きが幅方向の外側、かつ、下側となる。この場合も、側壁部３２では、長手方向において端固定部３３１から離れるに従って、先端部３３３が内側に倒れた状態から徐々に起立し、端固定部３３１と中間固定部３３２との間の中央近傍で、先端部３３３が直立に近い姿勢となる。また、当該中央近傍から中間固定部３３２に近づくに従って、先端部３３３が徐々に外側に倒れ、中間固定部３３２で上記根元側の部位の外側の面に重なる。
【００５７】
図１０に示すように、中間固定部３３２において、側壁本体３３の根元部３３４（すなわち、起立した状態における側壁本体３３の下部）が、幅方向における外側に倒された状態で基部３１に重ねられてもよい。ここで、側壁本体３３における基部３１との境界を０％の位置とし、自由端を１００％の位置とする場合において、根元部３３４は、例えば、０〜２５％の範囲の部位を含み、好ましくは、０〜３３％の範囲の部位を含み、より好ましくは、０〜５０％の範囲の部位を含む。根元部３３４の全体は、ホットメルト接着剤等により基部３１に直接接合されて固定される。図１０の吸収性物品１では、中間固定部３３２において根元部３３４が基部３１に接合されることにより、側壁本体３３の先端部３３３が、端固定部３３１における先端部３３３（図３参照）よりも幅方向の外側に配置される。実際には、中間固定部３３２における先端部３３３が、基部３１の内側の縁よりも、幅方向の外側に配置される。
【００５８】
図１０の吸収性物品１の装着状態では、股下部１３が前方部１１および後方部１２よりも下方に位置し、先端部弾性部材３４の収縮力により、端固定部３３１と中間固定部３３２との間において先端部３３３を引き上げる力が作用する。このとき、端固定部３３１と中間固定部３３２との間において先端部３３３が基部３１の内側の縁と交差する位置近傍では、先端部３３３が本体部２に対しておよそ真上に引き上げられ、（中間固定部３３２を省略する場合に比べて）先端部３３３が直立に近い姿勢となる。これにより、当該位置近傍における横漏れが抑制される。また、中間固定部３３２においても、先端部３３３が起立しており、中間位置における横漏れもある程度抑制される。
【００５９】
側壁部３２では、端固定部３３１において側壁本体３３が幅方向における外側に倒された状態で本体部２に重ねて固定されてもよい。例えば、図４に示す側壁本体３３の固定状態が、端固定部３３１において用いられる。この場合、例えば、図３に示す側壁本体３３の固定状態が、中間固定部３３２において用いられ、先端部３３３が、幅方向における内側に倒された状態で本体部２に重ねて固定される。中間固定部３３２では、先端部３３３が、図９に示す状態とは反対側に倒された状態、すなわち、幅方向における内側に倒された状態で、側壁本体３３における先端部３３３よりも根元側の部位に重ねて固定されてもよい。同様に、中間固定部３３２において、側壁本体３３の根元部３３４が、図１０に示す状態とは反対側に倒された状態、すなわち、幅方向における内側に倒された状態で本体部２に重ねて固定されてもよい。
【００６０】
以上のように、吸収性物品１では、各端固定部３３１において、側壁本体３３が幅方向における一方側に倒された状態で本体部２に重ねて固定される。また、中間固定部３３２において、先端部３３３が、幅方向における他方側に倒された状態で本体部２、もしくは、側壁本体３３における先端部３３３よりも根元側の部位に重ねて固定される、または、側壁本体３３の根元部３３４が、当該他方側に倒された状態で本体部２に重ねて固定される。これにより、長手方向における各端固定部３３１と中間固定部３３２との間の位置にて、側壁本体３３の先端部３３３を、本体部２に対して直立に近い姿勢とすることができる。
【００６１】
図７の吸収性物品１ａの中間固定部３３２ａにおいて、先端部３３３が幅方向における外側に倒された状態で、テープ片を用いて、側壁本体３３における先端部３３３よりも根元側の部位に重ねて固定可能とされてもよい（図９参照）。同様に、側壁本体３３の根元部３３４が外側に倒された状態で本体部２に重ねて固定可能とされてもよい（図１０参照）。また、端固定部３３１において、側壁本体３３が外側に倒された状態で本体部２に重ねて固定されていてもよい（図４参照）。この場合、中間固定部３３２ａにおいて、先端部３３３が内側に倒された状態で本体部２、もしくは、側壁本体３３の他の部位に固定可能とされる、または、根元部３３４が内側に倒された状態で本体部２に固定可能とされる。
【００６２】
以上のように、吸収性物品１ａでは、各端固定部３３１において、側壁本体３３が幅方向における一方側に倒された状態で本体部２に重ねて固定される。また、中間固定部３３２ａにおいて、先端部３３３が、幅方向における他方側に倒された状態で本体部２、もしくは、側壁本体３３における先端部３３３よりも根元側の部位に重ねて固定可能とされる、または、側壁本体３３の根元部３３４が、当該他方側に倒された状態で本体部２に重ねて固定可能とされる。これにより、長手方向における各端固定部３３１と中間固定部３３２ａとの間の位置にて、側壁本体３３の先端部３３３を、本体部２に対して直立に近い姿勢とすることができる。
【００６３】
一方、長手方向における中間位置近傍において、一対の側壁部３２の間における幅方向の距離を大きくして、着用者からの排泄物を受ける領域を広くするという観点では、中間固定部３３２，３３２ａにおいて、先端部３３３または根元部３３４が幅方向における外側に倒されることが好ましい。
【００６４】
図１１に示すように、端固定部３３１において、側壁本体３３が三つ折りにされてもよい。側壁本体３３では、互いに重なる部位同士が、ホットメルト接着剤等により接合される。また、側壁本体３３の根元部３３４が本体部２に重ねられた状態で本体部２に接合される。図１１の端固定部３３１では、先端部３３３は幅方向における内側に倒され、先端部３３３と根元部３３４との間の部位は幅方向における外側に倒される。この場合も、中間固定部３３２において先端部３３３または根元部３３４が外側（端固定部３３１の先端部３３３とは反対側）に倒されることにより、各端固定部３３１と中間固定部３３２との間の位置にて先端部３３３を直立に近い姿勢とすることができる。三つ折りにされた端固定部３３１において、先端部３３３が外側に倒される場合は、中間固定部３３２において先端部３３３または根元部３３４が内側に倒される。以上のように、端固定部３３１では、少なくとも先端部３３３が、幅方向における一方側に倒された状態で本体部２に重ねて固定されていればよい（吸収性物品１ａにおいて同様）。
【００６５】
吸収性物品１，１ａおよび吸収コア２２，２２ａの形状は任意に変更されてよく、例えば、長手方向の両端部の幅が中央部の幅よりも大きい略砂時計型であってもよい。
【００６６】
上述の側壁部３２の構造は、補助吸収パッド以外の吸収性物品、例えば、パンツタイプやテープタイプの使い捨ておむつ等に利用されてもよい。
【００６７】
上記実施の形態および各変形例における構成は、相互に矛盾しない限り適宜組み合わされてよい。
【符号の説明】
【００６８】
１，１ａ    吸収性物品
２    本体部
２１    トップシート
２２，２２ａ    吸収コア
２３    バックシート
３２    側壁部
３３    側壁本体
３４    先端部弾性部材
３５    補助弾性部材
２２０    スリット
２２１    中央吸収コア
３３１    端固定部
３３２，３３２ａ    中間固定部
３３３    先端部
３３４    根元部
【図１】
2018094296.tif 000003
【図２】
2018094296.tif 000004
【図３】
2018094296.tif 000005
【図４】
2018094296.tif 000006
【図５】
2018094296.tif 000007
【図６】
2018094296.tif 000008
【図７】
2018094296.tif 000009
【図８】
2018094296.tif 000010
【図９】
2018094296.tif 000011
【図１０】
2018094296.tif 000012
【図１１】
2018094296.tif 000013